(57)【要約】【課題】電力の供給が無くとも作動し、ネット部材で、侵入者等を確保できる防犯ネット装置を提供する。【解決手段】防犯ネット装置１０は、人体１００よりも高い位置に配設され、開口部の大きさを第１の状態と第２の状態に変更することが出来る複数の保持部と、保持部が第１の状態であるときに保持部に保持され、保持部が第２の状態であるときに保持部から落下する複数のコマ１３と、保持部に保持された各コマ１３から、保持部の下へ垂設された複数の連結部材１４と、各連結部材１４に、広げた状態で吊設された、表面に粘着性を有するネット２０と、保持部を第１の状態にする引っ張りバネ１８と、保持部を第２の状態にする紐状体２１Ａと、を有する。【選択図】図１
0003219895.tif 000002
【実用新案登録請求の範囲】
【請求項１】
人体よりも高い位置に配設され、開口部の大きさを第１の状態と第２の状態に変更することが出来る保持部と、
前記保持部が第１の状態であるときに前記保持部に保持され、第２の状態であるときに前記保持部から落下する複数のコマと、
前記保持部に保持された各前記コマから、前記保持部の下へ垂設された複数の連結部材と、
各前記連結部材に、広げた状態で吊設された、表面に粘着性を有するネットと、
前記保持部を前記第１の状態にするバネと、
前記保持部を前記第２の状態にする紐状体と、
を有する防犯ネット装置。
【請求項２】
前記ネットは、両側にカバーを有する、
請求項１に記載の防犯ネット装置。
【請求項３】
前記コマは、発光するか、又は有色の液体を内蔵し落下の衝撃で破壊される、
請求項１又は２に記載の防犯ネット装置。
【請求項４】
前記紐状体は、床近傍まで延長され、前記ネットの下である床面近傍に張設される、
請求項１から３のいずれか１項に記載の防犯ネット装置。
【請求項５】
前記保持部を、前記第２の状態にするアクチュエータと、
前記アクチュエータを作動させる操作スイッチと、
をさらに有する、
請求項１から４のいずれか１項に記載の防犯ネット装置。
【請求項６】
前記保持部を、前記第２の状態にするアクチュエータと、
前記ネットの下の領域に存在する人体を検知する人体感知センサをさらに有し、
前記人体感知センサからの信号で前記アクチュエータが作動する、
請求項１から４のいずれか１項に記載の防犯ネット装置。
【考案の詳細な説明】
【技術分野】
【０００１】
本考案は、防犯ネット装置に関する。
【背景技術】
【０００２】
日中の店舗に出現した強盗や、夜間の店舗に侵入した者等の侵入者等に対して、警報を発したり、警備組織に通報したり、マーキングしたりすることが行われている。しかし、これらの方法は、いずれも侵入者等の逃亡を直接防止することは無い。そこで、侵入者等の身体を確保して、逃亡を防止する発明が公開されている。
【０００３】
例えば、特許文献１には、天井に設置されたネット部材を、電磁石の励磁を切ることで侵入者等の上に落下させる防犯ネット装置が開示されている。また、特許文献２には、天井に設置された箱内に配置されたネット部材と、当該ネット部材に取り付けられたカラー水入りボールを、侵入者等の逃走路に垂らす防犯ネット装置が開示されている。
【先行技術文献】
【特許文献】
【０００４】
【特許文献１】特開平７―５４５４４号公報
【特許文献２】特開２００３―１３２４４８号公報
【考案の概要】
【考案が解決しようとする課題】
【０００５】
特許文献１に開示された防犯ネット装置は、電磁石と磁性体の吸着力によって、ネット部材を天井に保持し、電磁石の励磁を切る、すなわち電磁石への通電を遮断することによって、ネット部材を、侵入者等の上に落下させる。そのため、ネット部材を天井に保持するための電力が必要であり、停電等で電力を失った時の誤作動を防止するために、バックアップ用の電池が必要になる。したがって、制御が複雑で維持費用がかかるという課題がある。
【０００６】
また、特許文献２に開示された防犯ネット装置には、侵入者等が、垂らされたネット部材を回避することが可能であるという課題がある。
【０００７】
さらに、特許文献１及び２に開示された、いずれのネット部材も、侵入者等が自分で当該ネット部材を取り外すことが可能であるという課題がある。
【０００８】
本考案は、上記実状に鑑みて成されたものであり、電力の供給が無くとも作動し、ネット部材で、侵入者等を確保できる防犯ネット装置を提供することを目的とする。
【課題を解決するための手段】
【０００９】
上記目的を達成するため本考案の防犯ネット装置は、
人体よりも高い位置に配設され、開口部の大きさを第１の状態と第２の状態に変更することが出来る複数の保持部と、前記保持部が第１の状態であるときに前記保持部に保持され、第２の状態であるときに前記保持部から落下する複数のコマと、前記保持部に保持された各前記コマから、前記保持部の下へ垂設された複数の連結部材と、各前記連結部材に、広げた状態で吊設された、表面に粘着性を有するネットと、前記保持部を前記第１の状態にするバネと、前記保持部を前記第２の状態にする紐状体と、を有する。
【００１０】
前記ネットは、両側にカバーを有しても良い。
【００１１】
前記コマは、発光するか、又は有色の液体を内蔵し落下の衝撃で破壊されても良い。
【００１２】
前記紐状体は、床近傍まで延長され、前記ネットの下である床面近傍に張設されても良い。
【００１３】
前記保持部を、前記第２の状態にするアクチュエータと、前記アクチュエータを作動させる操作スイッチと、をさらに有しても良い。
【００１４】
前記保持部を、前記第２の状態にするアクチュエータと、前記ネットの下の領域に存在する人体を検知する人体感知センサとをさらに有し、前記人体感知センサからの信号で前記アクチュエータが作動しても良い。
【考案の効果】
【００１５】
本考案によれば、電力の供給が無くとも作動可能で、ネット部材で、侵入者等を確保できる防犯ネット装置を提供することが出来る。
【図面の簡単な説明】
【００１６】
【図１】本考案の実施の形態に係る防犯ネット装置を示す模式図である。
【図２】本考案の実施の形態に係る防犯ネット装置を斜め上方から見た斜視図である。
【図３】本考案の実施の形態に係る防犯ネット装置を斜め下方から見た斜視図である。
【図４】本考案の実施の形態に係る防犯ネット装置を天井に取り付けた状態の正面図である。
【図５】本考案の実施の形態に係る防犯ネット装置のＡ部（図４参照）の詳細図である。
【図６】本考案の実施の形態に係る防犯ネット装置のＢ部（図４参照）の詳細図である。
【図７】本考案の実施の形態に係る防犯ネット装置のコマ保持部を拡大した斜視図である。
【図８】本考案の実施の形態に係る防犯ネット装置のコマの変形例を示す斜視図である。
【考案を実施するための形態】
【００１７】
（実施の形態）
本考案の実施の形態に係る防犯ネット装置を、図面を参照しながら説明する。
【００１８】
防犯ネット装置１０は、人体１００の上からネット２０を落下させるものであり、図１に示すように、ネット２０、保持部材１１、フレーム取付部材１２、コマ１３、連結部材１４、第１のフレーム１５、第２のフレーム１６、第３のフレーム１７、引っ張りバネ１８、紐状体２１Ａ、２１Ｂ及び２１Ｃ、滑車取付部材２２、滑車２３、人体感知センサ２５及びカバー５０を備える。
【００１９】
ネット２０は、図３に示すように、それぞれが直交する複数の糸からなる。糸同士の交差部分では、糸同士が連結されている。ネット２０を構成する糸は、例えば天然素材である綿や麻、又は合成繊維等を撚り合わせたものであり、ロープ、綱、縄等とも称されるものである。ネット２０を構成する糸は、表面に粘着物質を塗布する等してあって、粘着性を有している。
【００２０】
ネット２０の糸同士の交差部分は、図５に示すように、環状部材である連結部材１４Ｃに懸架されている。連結部材１４Ｃは、環状部材である連結部材１４Ｂに懸架されている。連結部材１４Ｂは、連結部材１４Ａに懸架されている。連結部材１４Ａは、２枚の薄板部材と、２本の丸棒部材を有しており、チェーンのこま状の態様である。連結部材１４Ａの下部の丸棒部材に、連結部材１４Ｂが懸架されている。連結部材１４Ａの上部の丸棒部材は、円盤形状であるコマ１３の中心部に貫設された穴に挿入されている。コマ１３の中心部の穴は、連結部材１４Ａの丸棒部材の外径よりも大きく、コマ１３の厚みは、連結部材１４Ａの２つの薄板部材の間の寸法よりも小さい。コマ１３、連結部材１４Ａ、１４Ｂ及び１４Ｃの材質は、鉄やステンレス等の金属であっても良いし、樹脂であっても良い。
【００２１】
保持部材１１は、複数のコマ１３を保持するもので、断面がＵ字形状の樋に類する形状を有している。保持部材１１の内側の幅は、連結部材１４Ａの２つの薄板の外側の寸法よりも広く、後述する開閉部材３０の、立ち上がり部の厚みよりも大きい隙間を有する。Ｕ字形状の側面を形成する２つの立ち上がり部の高さは、コマ１３の半径程度である。保持部材１１の底部には、所定の間隔で、底部の幅全部にわたって、部分的に複数の開口が形成されている。開口の長さは、コマ１３の直径よりも長い。開口の間隔は、ネット２０の糸同士の交差部分の間隔と略一致する。保持部材１１の材質は、鉄やステンレス等の金属であっても良いし、樹脂であっても良い。
【００２２】
保持部材１１と開閉部材３０とは、実用新案登録請求の範囲に記載の保持部の一例である。
【００２３】
開閉部材３０は、保持部の開口部の大きさを変更するものであって、図７に示すように、断面がＵ字形状の桶に類する形状である。開閉部材３０は、保持部材１１の内側に配置されている。開閉部材３０の外側の幅寸法は、保持部材１１の内側の幅寸法よりも小さい。開閉部材３０の底と一方の側面には、所定の間隔で、部分的に複数の切り欠きが形成されている。切り欠きの大きさは、コマ１３が通る大きさであり、切り欠きの間隔は、保持部材１１の開口の間隔と一致する。開閉部材３０の材質は、鉄やステンレス等の金属であっても良いし、樹脂であっても良い。
【００２４】
開閉部材３０は、保持部材１１の内側を長手方向に滑動可能である。保持部材１１の開口と、開閉部材３０の切り欠きの位置が一致すると、保持部材１１と開閉部材３０とで形成された開口部が最大、すなわち第２の状態となり、コマ１３が通過できるようになる。保持部材１１の開口と、開閉部材３０の切り欠きの位置がずれると、保持部材１１と開閉部材３０とで形成された開口部がコマ１３よりも小さい、すなわち第１の状態となり、コマ１３は開口部を通過出来なくなる。このように、開閉部材３０が保持部材１１の内側を長手方向に滑動することで、保持部の開口部が、第１の状態と第２の状態に変更可能となっている。
【００２５】
保持部材１１は、図２に示すように、所定の間隔で、平行に６本配置されている。それぞれの保持部材１１の内側に、開閉部材３０が配置されている。１本の保持部材１１には、開口が、所定の間隔で、６箇所形成されている。開閉部材３０も同様にそれぞれ６箇所切り欠きが形成されている。保持部材１１の下に、保持部材１１と交差する向きに、第１のフレーム１５が配置されている。第１のフレーム１５は、保持部材１１同士の間隔を維持するとともに、保持部材１１が、ネット２０等の重量に耐えるように、強度を付加するものである。第１のフレーム１５は、保持部材１１の開口６箇所の両側に、それぞれ２本、合計１２本配置されている。
【００２６】
第１のフレーム１５同士の間に、第２のフレーム１６が配置されている。第１のフレーム１５と、第２のフレーム１６によって、井桁形状を形成して、全体の強度が向上されている。ただし、第２のフレーム１６は、保持部材１１の開口を塞ぐことが無い位置に配置されている。
【００２７】
６本の開閉部材３０は、両側の端部が、保持部材１１から突出している。全ての開閉部材３０は、一方の端部が第３のフレーム１７に連結されており、もう一方の端部が第４のフレーム２４に連結されている。第３のフレーム１７を保持部材１１の方向に移動すると、全ての開閉部材３０が移動して、全ての保持部材１１の開口と開閉部材３０の切り欠きがずれた、第１の状態となり、各コマ１３は落下できなくなる。反対側の第４のフレーム２４を保持部材１１の方向に移動すると、全ての開閉部材３０が移動して、保持部材１１の開口と開閉部材３０の切り欠きが一致した、第２の状態となり、各コマ１３が保持部の開口部を通過して落下できるようになっている。なお、保持部材１１の移動量は、第３のフレーム１７及び第４のフレーム２４が保持部材１１の端部に当接することで規制されている。
【００２８】
第１のフレーム１５に、図２に示すように、フレーム取付部材１２が４個連結されている。このフレーム取付部材１２によって、複数の保持部材１１が天井に配置され、保持部材１１に保持された複数のコマ１３と、それぞれのコマ１３に保持された連結部材１４と、複数の連結部材１４に懸架されたネット２０が天井に保持されている。
【００２９】
第３のフレーム１７と、第３のフレーム１７の直近の第１のフレーム１５とは、図５に示すように、それぞれの長手方向の中心部付近で、引っ張りバネ１８によって係合されている。この引っ張りバネ１８の付勢力によって、第３のフレーム１７は保持部材１１の方向に引かれ、保持部材１１の底部の開口と、開閉部材３０の切り欠きがずれた状態、すなわち第１の状態が維持され、全てのコマ１３が保持部の開口部から落下せずに保持される。
【００３０】
第３のフレーム１７の、引っ張りバネ１８が取り付けられた箇所の付近に、図３〜５に示すように、紐状体２１Ａが連結されている。紐状体２１Ａは、引っ張りバネ１８を伸ばす方向に張設され、滑車取付部材２２によって天井から所定の位置に配置された滑車２３を経由して、鉛直下方向に、紐状体２１Ｄとして、その端部が所定の高さとなるまで、自重によって垂らされている。
【００３１】
なお、図１に示すように、紐状体２１Ｄに替えて、紐状体２１Ｂを、床面近傍まで張設し、滑車取付部材２２によって壁又は床から所定の位置に配置された滑車２３を経由して、床面と略平行に紐状体２１Ｃが張設され、紐状体２１Ｃがネット２０の下部に配置されるように、紐状体２１Ｃの端部が壁等に固定される構成とすることもできる。このとき、紐状体２１Ｂ及び２１Ｃは、光を反射しにくい色や太さであって、人の眼につきにくいようにされている。
【００３２】
さらに、防犯ネット装置１０は、図６に示すように、アクチュエータとしてソレノイド１９を備える。ソレノイド１９は、第４のフレーム２４と、第４のフレーム２４の直近の第１のフレーム１５との間を、それぞれの長手方向の中心付近で、連結するように配置されている。ソレノイド１９に通電されると、ソレノイド１９の鉄心がコイルに引かれて、第４のフレーム２４が保持部材１１の方向に移動する。その結果、保持部材１１の開口と、開閉部材３０の切り欠きが一致する。この状態は保持部の第２の状態の例であり、コマ１３が保持部の開口部を通過して落下するようになる。
【００３３】
人体感知センサ２５は、図１〜３に示すようにネット２０の下に存在する人体１００を感知するように、センサ取付部材２６によって、天井に配置されている。ソレノイド１９は、人体感知センサ２５が人体を感知した信号を発すると通電する構成となっている。さらに、有線スイッチ、又は無線スイッチなどの操作スイッチによって、ソレノイド１９に通電するような構成も有する。
【００３４】
なお、人体感知センサ２５は、ネット２０の下に存在する人体１００を検知できるものであれば、焦電式、光電式、超音波式等の形式によるものを使用できる。また、人体感知センサ２５の取付位置及び方向は、ネット２０の下に存在する人体１００を検知するのであれば、図１に示すような天井から下方向へのものではなくとも、例えば横方向から検知するようにしても良い。
【００３５】
なお、コマ１３は、発光するものであっても良い。例えば、蓄光材料若しくは蛍光物質からなるものであったり、蓄光材料若しくは蛍光物質を表面に有したりして、発光するものとすることが出来る。他に、化学反応によって発光する液体を内蔵し、コマ１３が落下した衝撃によって当該化学反応を誘発して、発光する構成としても良い。或いは、発光素子とバッテリーと振動スイッチを内蔵しており、落下の振動でスイッチが入り、バッテリーの電力が発光素子に流れて発光するようにしても良い。
【００３６】
また、コマ１３は、有色の液体を内蔵するものであって、落下等の衝撃で破壊される殻を有しても良い。当該有色の液体は、蛍光塗料であっても良い。
【００３７】
カバー５０は、図１に示すように、第１のフレーム１５及び第２のフレーム１６に接続されて、下方向に配置される。カバー５０は、垂れ下がった、粘着性を有するネット２０の両側に配置され、ネット２０に付着することの無いように、下部になるにつれてネット２０から遠ざかるように配置されている。なお、このカバー５０は、状況に応じて配置されないこともある。
【００３８】
次に、本実施の形態にかかる防犯ネット装置１０で、侵入者等を拘束する方法を説明する。日中又は夜間、有人又は無人、電力がある時又は停電時によって、その方法が変わるので、場合に分けて説明する。
【００３９】
まず、日中で、有人である場合について説明する。この場合、侵入者等の人体１００の他にも人体があるので、誤動作を防止するために、人体感知センサ２５は作動しないようにする。さらに、図１に示すような紐状体２１Ｂ及び２１Ｃは配置せず、図３に示すように、紐状体２１Ｄを配置する。
【００４０】
ここで、図１に示す、カバー５０の有無について説明すると、侵入者等への抑止力を重視する場合には、カバー５０を設けず、侵入者等にネット２０を見せるべきである。しかし侵入者等の拘束を重視する場合には、侵入者等に気づかれないように、カバー５０を設けるべきである。従って、状況に応じてカバー５０を配置するか否かを選択する。
【００４１】
侵入者等が犯罪等を行ったとしたら、従業員等は、侵入者等の人体１００がネット２０の下にいるときに、有線スイッチ、又は無線スイッチを操作することによって、ソレノイド１９に通電する。もし、停電などで電力の供給が無い場合は、紐状体２１Ｄを下方向に引く。
【００４２】
ソレノイド１９の作動、又は紐状体Ｄに連結された紐状体２１Ａが引かれることによって、開閉部材３０が、引っ張りバネ１８の付勢力に逆らって移動する。それによって、全ての開閉部材３０が移動して、全ての保持部材１１の開口と、開閉部材３０の切り欠きが一致して、第２の状態となる。その結果、保持部の開口部に配置された全てのコマ１３が、保持部の開口部を通過して、自重によって落下する。その結果、コマ１３に連結された連結部材１４と、連結部材１４に懸架されたネット２０が、人体１００の上に落下する。
【００４３】
ネット２０のそれぞれの糸の表面は粘着性を有しているので、ネット２０は、人体１００の身体に付着すると共に、人体１００に付着しなかった部分は床に付着して、人体１００の動作を制限し、侵入者等の人体１００が逃亡することを防止する。さらに、ネット２０の粘着性によって、侵入者等は身体に付着したネット２０を取り外すことが困難になる。
【００４４】
このとき、コマ１３が液体を内蔵して落下等の衝撃で破壊される殻を有するものであれば、落下の衝撃によって当該殻が破壊され、内蔵する蛍光塗料等の液体が散乱する。この液体は人体１００に付着するので、侵入者等の人体１００が逃走したとしても、侵入者等を容易に発見できることになる。
【００４５】
次に、夜間で、無人である場合について説明する。この場合、人体１００が存在すれば、侵入者等であるとみなすことができる。そこで、人体感知センサ２５が人体１００を検知するようにしておく。また、無人であるため、照明等は不要なので暗闇であることから、図１に示すように、侵入者等が発見しにくい紐状体２１Ｂ及び２１Ｃを配置しておく。人体１００がネット２０の下に来たら、人体感知センサ２５が作動して、ソレノイド１９に通電する。また、もし、人体感知センサ２５が作動しなくとも、さらには、停電などで電力の供給が無いとしても、ネット２０の下に来た人体１００が床面近傍の紐状体２１Ｃに引っかかることで、連結された紐状体２１Ａが引かれることになる。
【００４６】
ソレノイド１９の作動、又は紐状体２１Ｂ及び２１Ｃに連結された紐状体２１Ａが引かれることによって、開閉部材３０が、引っ張りバネ１８の付勢力に逆らって移動する。それによって、開閉部材３０が移動し、全ての保持部材１１の開口と、開閉部材３０の切り欠きが一致して、第２の状態となる。その結果、保持部の開口部に配置された全てのコマ１３が、保持部の開口部を通過して、自重によって落下する。その結果、コマ１３に連結された連結部材１４と、連結部材１４に懸架されたネット２０が、人体１００の上に落下する。
【００４７】
このとき、コマ１３が発光するものである場合は、暗闇であっても、侵入者等の人体１００の位置を特定することが容易となる。
【００４８】
（変形例）
例えば、本考案の防犯ネット装置１０から一旦落下させたネット２０を、再度保持部材１１に配置する場合や、新しいネット２０を、天井に配置された保持部材１１に保持させる場合には、保持部材１１の底部の開口と、開閉部材３０の切り欠きが一致した状態、すなわち第２の状態でないと、下から開口部を通過して、コマ１３を挿入することは出来ない。しかしその状態ではコマ１３が開口部を通過して、落下してしまう。また、保持部材１１の底部の開口と、開閉部材３０の切り欠きがずれた状態、すなわち第１の状態では、下からコマ１３を挿入することはできない。そこで、図８に示すような、大きさを変更出来るようなコマ１１３にすることも可能である。このコマ１１３は、圧縮バネ１１６の付勢力によって、コマ部材１１５が外側に押され、コマ本体１１４と合わさって円形を保つ。このコマ１１３のコマ部材１１５を両側から押し込んで、コマ１１３の直径を部分的に小さくして、開閉部材３０によって狭くなった保持部材１１の底部の開口部へ、下から、小さくなった部分を挿入する。挿入後は圧縮バネ１１６の付勢力によって、コマ部材１１５は外側へ押し広げられ、コマ１１３は外径が円形となる。外径が円形となったコマ１１３は、開閉部材３０によって狭くなった保持部材１１の開口部よりも大きいので、落下することは無い。
【００４９】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【符号の説明】
【００５０】
１０  防犯ネット装置
１１  保持部材
１２  フレーム取付部材
１３、１１３ コマ
１４  連結部材
１５  第１のフレーム
１６  第２のフレーム
１７  第３のフレーム
１８  引っ張りバネ
１９  ソレノイド
２０  ネット
２１Ａ、２１Ｂ、２１Ｃ、２１Ｄ 紐状体
２２  滑車取付部材
２３  滑車
２４  第４のフレーム
２５  人体感知センサ
２６  センサ取付部材
３０  開閉部材
５０  カバー
１００  人体
１１４  コマ本体
１１５  コマ部材
１１６  圧縮バネ
【図１】
0003219895.tif 000003
【図２】
0003219895.tif 000004
【図３】
0003219895.tif 000005
【図４】
0003219895.tif 000006
【図５】
0003219895.tif 000007
【図６】
0003219895.tif 000008
【図７】
0003219895.tif 000009
【図８】
0003219895.tif 000010